(57)【要約】【課題】広告効果の高い広告情報提供方法ならびにそのサーバを提供する。【解決手段】広告表示ディスプレイ５０の背面にはＩＣカード５１が配置されている。携帯端末装置３０に接続されたＩＣカードリーダ／ライタ３１を、ＩＣカード５１に近づけると、記憶部５２のサーバアドレスとアクセスキーとが携帯端末装置３０に読み込まれる。携帯端末装置３０は、読み込んだサーバアドレスに従って、広告情報提供サーバ１０にアクセスし、続いて、読み込んだアクセスキーを送信する。広告情報提供サーバ１０は、そのアクセスキーからその掲示場所、あるいは車輌の運行状況に応じて適切な広告情報を携帯端末装置３０に送信する。【選択図】　図１
2004030134.tif 000002
【特許請求の範囲】
【請求項１】
公共の場所に設置される紙媒体に印刷された、もしくは、電子的なディスプレイに表示された広告に関連する関連情報が掲示されている場所固有の識別情報を格納する格納手段と、
前記広告に近接させることにより、前記格納手段に格納されている前記識別情報を取得する非接触型情報取得手段と、
前記非接触型情報取得手段により取得された前記識別情報に基づいて得られる前記関連情報を表示する端末装置と、
前記端末装置により読み込まれた前記識別情報に基づいて、前記広告に関連する関連情報を前記端末装置に提供するサーバと
を具備することを特徴とする広告情報提供システム。
【請求項２】
前記格納手段は、前記広告の背面に配設された非接触型ＩＣカードであり、
前記非接触型情報取得手段は、前記非接触型ＩＣカードから前記識別情報を読み込むＩＣカード読込手段であり、
前記端末装置は、ユーザが所持する携帯端末であって、前記サーバから提供される関連情報を表示する表示手段を備えることを特徴とする請求項１記載の広告情報提供システム。
【請求項３】
前記非接触型情報取得手段は、非接触型ＩＣカードであり、前記格納手段は、前記広告の背面に配設され、前記非接触型ＩＣカードが近接すると、前記非接触型ＩＣカードに前記識別情報を書き込むＩＣカード書込手段であり、
前記端末装置は、前記非接触型ＩＣカードに書き込まれた前記識別情報を非接触で読み込む非接触型情報読込手段を備え、前記サーバから提供される関連情報を表示する表示手段を備えることを特徴とする請求項１記載の広告情報提供システム。
【請求項４】
前記識別情報は、前記サーバのネットワーク上のサーバアドレスと、前記広告が掲示されている場所固有の識別記号を含むアクセスキーとからなり、
前記端末装置は、前記サーバアドレスに基づいてアクセス先を特定し、
前記サーバは、前記アクセスキーに基づいて前記関連情報を特定することを特徴とする請求項２または３記載の広告情報提供システム。
【請求項５】
前記識別情報は、前記サーバのネットワーク上のサーバアドレスと、前記広告が掲示されている場所固有の識別記号を含むアクセスキーと、前記識別情報を取得した時刻を示す時刻情報とからなり、
前記端末装置は、前記サーバアドレスに基づいてアクセス先を特定し、
前記サーバは、前記アクセスキーに基づいて前記関連情報を特定する一方、前記時刻情報を含む前記端末装置のアクセス履歴を保存することを特徴とする請求項２または３記載の広告情報提供システム。
【請求項６】
公共の場所に設置される紙媒体に印刷された、もしくは、電子的なディスプレイに広告を表示し、該広告に関連する関連情報が掲示されている場所固有の識別情報を格納する格納手段を具備することを特徴とする広告表示装置。
【請求項７】
前記識別情報は、前記関連情報を取得するためのサーバのネットワーク上のサーバアドレスと、前記広告が掲示されている場所固有の識別記号を含み、前記関連情報を特定するためのアクセスキーとからなることを特徴とする請求項６記載の広告表示装置。
【請求項８】
前記識別情報は、前記関連情報を取得するためのサーバのネットワーク上のサーバアドレスと、前記広告が掲示されている場所固有の識別記号を含み、前記関連情報を特定するためのアクセスキーと、前記識別情報を取得した時刻を示す時刻情報とからなることを特徴とする請求項６記載の広告表示装置。
【請求項９】
前記格納手段は、前記広告の背面に配設され、前記広告に関連する関連情報が掲示されている場所固有の識別情報を、ユーザが所持する端末装置に備えられたＩＣカード読込手段により非接触で読込可能に格納する非接触型ＩＣカードであることを特徴とする請求項６記載の広告表示装置。
【請求項１０】
前記格納手段は、前記広告の背面に配設され、前記広告に関連する関連情報が掲示されている場所固有の識別情報を、近接してきた、ユーザが所持する非接触型ＩＣカードに書込み可能に格納するＩＣカード書込手段であることを特徴とする請求項６記載の広告表示装置。
【請求項１１】
前記格納手段は、前記広告に複数個配設されていることを特徴とする請求項９または１０記載の広告表示装置。
【請求項１２】
公共の場所に設置される紙媒体に印刷された、もしくは、電子的なディスプレイに表示された広告から、該広告に関連する関連情報が掲示されている場所固有の識別情報を非接触で読み込み、前記非接触型情報取得手段により取得された前記識別情報に基づいて得られる前記関連情報を表示する端末装置へ通知することを特徴とする情報読込装置。
【請求項１３】
前記識別情報は、前記関連情報を取得するためのサーバのネットワーク上のサーバアドレスと、前記広告が掲示されている場所固有の識別記号を含み、前記関連情報を特定するためのアクセスキーとからなることを特徴とする請求項１２記載の情報読込装置。
【請求項１４】
前記識別情報は、前記関連情報を取得するためのサーバのネットワーク上のサーバアドレスと、前記広告が掲示されている場所固有の識別記号を含み、前記関連情報を特定するためのアクセスキーと、前記識別情報を取得した時刻を示す時刻情報とからなることを特徴とする請求項１２記載の情報読込装置。
【請求項１５】
公共の場所に設置される紙媒体に印刷された、もしくは、電子的なディスプレイに表示された広告に、該広告関連する関連情報が掲示されている場所固有の識別情報が格納された格納手段を配設し、
前記格納手段に近接させることにより、前記格納手段に格納されている前記識別情報を非接触で取得し、
前記識別情報に基づいて得られる、前記広告に関連する関連情報を、該関連情報を表示する端末装置に提供することを特徴とする広告情報提供方法。
【請求項１６】
前記識別情報は、前記関連情報を掲示しているサーバのネットワーク上のサーバアドレスと、前記広告が掲示されている場所固有の識別記号を含むアクセスキーとからなることを特徴とする請求項１５記載の広告情報提供方法。
【請求項１７】
前記識別情報は、前記関連情報を掲示しているサーバのネットワーク上のサーバアドレスと、前記広告が掲示されている場所固有の識別記号を含むアクセスキーと、前記識別情報を取得した時刻を示す時刻情報とからなり、前記時刻情報を含む前記端末装置のアクセス履歴を保存することを特徴とする請求項１５記載の広告情報提供方法。
【請求項１８】
公共の場所に設置される紙媒体に印刷された、もしくは、電子的なディスプレイに表示された広告に配設され、該広告関連する関連情報が掲示されている場所固有の識別情報が格納された格納手段に近接させることにより、前記格納手段に格納されている前記識別情報を非接触で取得するステップと、
前記識別情報に基づいて得られる、前記広告に関連する関連情報を、該関連情報を表示する端末装置に提供するステップと
をコンピュータに実行させることを特徴とする広告情報提供プログラム。
【請求項１９】
前記識別情報は、前記関連情報を掲示しているサーバのネットワーク上のサーバアドレスと、前記広告が掲示されている場所固有の識別記号を含むアクセスキーとからなり、
前記サーバアドレスに基づいてアクセス先を特定するステップと、
前記アクセスキーに基づいて前記関連情報を特定するステップと
をコンピュータに実行させることを特徴とする請求項１８記載の広告情報提供プログラム。
【請求項２０】
前記識別情報は、前記関連情報を掲示しているサーバのネットワーク上のサーバアドレスと、前記広告が掲示されている場所固有の識別記号を含むアクセスキーと、前記識別情報を取得した時刻を示す時刻情報とからなり、
前記サーバアドレスに基づいてアクセス先を特定するステップと、
前記アクセスキーに基づいて前記関連情報を特定するステップと、
前記時刻情報を含む前記端末装置のアクセス履歴を保存するステップと
をコンピュータに実行させることを特徴とする請求項１８記載の広告情報提供プログラム。
【発明の詳細な説明】
【０００１】
【発明の属する技術分野】
本発明は、街頭、駅等の公共の場所、あるいは列車やバス等公共の乗り物向けの広告情報提供システムに用いて好適な広告情報提供方法ならびにそのサーバに関し、特にユーザが持つ携帯電話やＰＤＡ（Ｐｅｒｓｏｎａｌ　Ｄｉｇｉｔａｌ　Ａｓｓｉｓｔａｎｔｓ）等の携帯端末装置に詳細な広告情報を提供することのできる、広告情報提供システム、広告表示装置、情報読込装置、広告情報提供方法および広告情報提供プログラムに関する。
【０００２】
【従来の技術】
従来の街頭、駅および車内向けの広告情報提供システムでは、街頭、駅などの公共の場所、あるいは列車やバス等の車内に設置された紙媒体に広告情報を表示しユーザに閲覧を促していた。また、その広告表示の中に、インターネット上のＷＷＷ（Ｗｏｒｌｄ　Ｗｉｄｅ　Ｗｅｂ）サーバアドレス（以下、ＵＲＬ）を記載し、それぞれユーザに閲覧を促していた。
【０００３】
【発明が解決しようとする課題】
従来の街頭、駅および車内向け広告情報提供システムでは、単に街頭や駅、あるいは車内で広告情報を提供するのみであったため、後に参照するのが困難であった。また、ユーザが広告中に表示されたサーバにアクセスしてその詳細情報を得たとしても、広告主側からはどの広告情報が閲覧されたのかを調べることができなかったため広告効果について知ることかできず、費用対効果の高い広告情報の提供の仕方を模索することが困難であった。
【０００４】
この発明は上述した事情に鑑みてなされたもので、公共の場所に設置される紙媒体や電子媒体に表示される広告に関連する関連情報を、非常に容易に引き出すことができる広告情報提供システム、広告表示装置、情報読込装置、広告情報提供方法および広告情報提供プログラムを提供することを目的とする。
【０００５】
【課題を解決するための手段】
上述した問題点を解決するために、請求項１記載の発明では、公共の場所に設置される紙媒体に印刷された、もしくは、電子的なディスプレイに表示された広告に関連する関連情報が掲示されている場所固有の識別情報を格納する格納手段と、前記広告に近接させることにより、前記格納手段に格納されている前記識別情報を取得する非接触型情報取得手段と、前記非接触型情報取得手段により取得された前記識別情報に基づいて得られる前記関連情報を表示する端末装置と、前記端末装置により読み込まれた前記識別情報に基づいて、前記広告に関連する関連情報を前記端末装置に提供するサーバとを具備することを特徴とする。
【０００６】
また、請求項２記載の発明では、請求項１記載の広告情報提供システムにおいて、前記格納手段は、前記広告の背面に配設された非接触型ＩＣカードであり、前記非接触型情報取得手段は、前記非接触型ＩＣカードから前記識別情報を読み込むＩＣカード読込手段であり、前記端末装置は、ユーザが所持する携帯端末であって、前記サーバから提供される関連情報を表示する表示手段を備えることを特徴とする。
【０００７】
また、請求項３記載の発明では、請求項１記載の広告情報提供システムにおいて、前記非接触型情報取得手段は、非接触型ＩＣカードであり、前記格納手段は、前記広告の背面に配設され、前記非接触型ＩＣカードが近接すると、前記非接触型ＩＣカードに前記識別情報を書き込むＩＣカード書込手段であり、前記端末装置は、前記非接触型ＩＣカードに書き込まれた前記識別情報を非接触で読み込む非接触型情報読込手段を備え、前記サーバから提供される関連情報を表示する表示手段を備えることを特徴とする。
【０００８】
また、請求項４記載の発明では、請求項２または３記載の広告情報提供システムにおいて、前記識別情報は、前記サーバのネットワーク上のサーバアドレスと、前記広告が掲示されている場所固有の識別記号を含むアクセスキーとからなり、前記端末装置は、前記サーバアドレスに基づいてアクセス先を特定し、前記サーバは、前記アクセスキーに基づいて前記関連情報を特定することを特徴とする。
【０００９】
また、請求項５記載の発明では、請求項２または３記載の広告情報提供システムにおいて、前記識別情報は、前記サーバのネットワーク上のサーバアドレスと、前記広告が掲示されている場所固有の識別記号を含むアクセスキーと、前記識別情報を取得した時刻を示す時刻情報とからなり、前記端末装置は、前記サーバアドレスに基づいてアクセス先を特定し、前記サーバは、前記アクセスキーに基づいて前記関連情報を特定する一方、前記時刻情報を含む前記端末装置のアクセス履歴を保存することを特徴とする。
【００１０】
また、上述した問題点を解決するために、請求項６記載の発明では、公共の場所に設置される紙媒体に印刷された、もしくは、電子的なディスプレイに広告を表示し、該広告に関連する関連情報が掲示されている場所固有の識別情報を格納する格納手段を具備することを特徴とする。
【００１１】
また、請求項７記載の発明では、請求項６記載の広告表示装置において、前記識別情報は、前記関連情報を取得するためのサーバのネットワーク上のサーバアドレスと、前記広告が掲示されている場所固有の識別記号を含み、前記関連情報を特定するためのアクセスキーとからなることを特徴とする。
【００１２】
また、請求項８記載の発明では、請求項６記載の広告表示装置において、前記識別情報は、前記関連情報を取得するためのサーバのネットワーク上のサーバアドレスと、前記広告が掲示されている場所固有の識別記号を含み、前記関連情報を特定するためのアクセスキーと、前記識別情報を取得した時刻を示す時刻情報とからなることを特徴とする。
【００１３】
また、請求項９記載の発明では、請求項６記載の広告表示装置において、前記格納手段は、前記広告の背面に配設され、前記広告に関連する関連情報が掲示されている場所固有の識別情報を、ユーザが所持する端末装置に備えられたＩＣカード読込手段により非接触で読込可能に格納する非接触型ＩＣカードであることを特徴とする。
【００１４】
また、請求項１０記載の発明では、請求項６記載の広告表示装置において、前記格納手段は、前記広告の背面に配設され、前記広告に関連する関連情報が掲示されている場所固有の識別情報を、近接してきた、ユーザが所持する非接触型ＩＣカードに書込み可能に格納するＩＣカード書込手段であることを特徴とする。
【００１５】
また、請求項１１記載の発明では、請求項９または１０記載の広告表示装置において、前記格納手段は、前記広告に複数個配設されていることを特徴とする。
【００１６】
また、上述した問題点を解決するために、請求項１２記載の発明では、公共の場所に設置される紙媒体に印刷された、もしくは、電子的なディスプレイに表示された広告から、該広告に関連する関連情報が掲示されている場所固有の識別情報を非接触で読み込み、前記非接触型情報取得手段により取得された前記識別情報に基づいて得られる前記関連情報を表示する端末装置へ通知することを特徴とする。
【００１７】
また、請求項１３記載の発明では、請求項１２記載の情報読込装置において、前記識別情報は、前記関連情報を取得するためのサーバのネットワーク上のサーバアドレスと、前記広告が掲示されている場所固有の識別記号を含み、前記関連情報を特定するためのアクセスキーとからなることを特徴とする。
【００１８】
また、請求項１４記載の発明では、請求項１２記載の情報読込装置において、前記識別情報は、前記関連情報を取得するためのサーバのネットワーク上のサーバアドレスと、前記広告が掲示されている場所固有の識別記号を含み、前記関連情報を特定するためのアクセスキーと、前記識別情報を取得した時刻を示す時刻情報とからなることを特徴とする。
【００１９】
また、上述した問題点を解決するために、請求項１５記載の発明では、公共の場所に設置される紙媒体に印刷された、もしくは、電子的なディスプレイに表示された広告に、該広告関連する関連情報が掲示されている場所固有の識別情報が格納された格納手段を配設し、前記格納手段に近接させることにより、前記格納手段に格納されている前記識別情報を非接触で取得し、前記識別情報に基づいて得られる、前記広告に関連する関連情報を、該関連情報を表示する端末装置に提供することを特徴とする。
【００２０】
また、請求項１６記載の発明では、請求項１５記載の広告情報提供方法において、前記識別情報は、前記関連情報を掲示しているサーバのネットワーク上のサーバアドレスと、前記広告が掲示されている場所固有の識別記号を含むアクセスキーとからなることを特徴とする。
【００２１】
また、請求項１７記載の発明では、請求項１５記載の広告情報提供方法において、前記識別情報は、前記関連情報を掲示しているサーバのネットワーク上のサーバアドレスと、前記広告が掲示されている場所固有の識別記号を含むアクセスキーと、前記識別情報を取得した時刻を示す時刻情報とからなり、前記時刻情報を含む前記端末装置のアクセス履歴を保存することを特徴とする。
【００２２】
また、上述した問題点を解決するために、請求項１８記載の発明では、公共の場所に設置される紙媒体に印刷された、もしくは、電子的なディスプレイに表示された広告に配設され、該広告関連する関連情報が掲示されている場所固有の識別情報が格納された格納手段に近接させることにより、前記格納手段に格納されている前記識別情報を非接触で取得するステップと、前記識別情報に基づいて得られる、前記広告に関連する関連情報を、該関連情報を表示する端末装置に提供するステップとをコンピュータに実行させることを特徴とする。
【００２３】
また、請求項１９記載の発明では、請求項１８記載の広告情報提供プログラムにおいて、前記識別情報は、前記関連情報を掲示しているサーバのネットワーク上のサーバアドレスと、前記広告が掲示されている場所固有の識別記号を含むアクセスキーとからなり、前記サーバアドレスに基づいてアクセス先を特定するステップと、前記アクセスキーに基づいて前記関連情報を特定するステップとをコンピュータに実行させることを特徴とする。
【００２４】
また、請求項２０記載の発明では、請求項１８記載の広告情報提供プログラムにおいて、前記識別情報は、前記関連情報を掲示しているサーバのネットワーク上のサーバアドレスと、前記広告が掲示されている場所固有の識別記号を含むアクセスキーと、前記識別情報を取得した時刻を示す時刻情報とからなり、前記サーバアドレスに基づいてアクセス先を特定するステップと、前記アクセスキーに基づいて前記関連情報を特定するステップと、前記時刻情報を含む前記端末装置のアクセス履歴を保存するステップとをコンピュータに実行させることを特徴とする。
【００２５】
この発明では、公共の場所に設置される紙媒体に印刷された、もしくは、電子的なディスプレイに表示された広告に関連する関連情報が掲示されている場所固有の識別情報を格納手段に格納しておき、非接触型情報取得手段を前記広告に近接させることにより、前記格納手段に格納されている前記識別情報を取得し、サーバにより、前記識別情報に基づいて、前記広告に関連する関連情報を、該関連情報を表示可能な前記端末装置に提供する。したがって、公共の場所に設置される紙媒体や電子媒体に表示される広告に関連する関連情報を、非常に容易に引き出すことが可能となる。
【００２６】
【発明の実施の形態】
以下、図面を用いて本発明の実施の形態を説明する。
Ａ．第１実施形態
図１は、本発明の第１実施形態による広告情報提供システムの構成を示すブロック図である。図において、広告情報提供システムは、広告情報提供サーバ１０と、インターネット接続が可能な携帯電話、もしくはＰＤＡ等の携帯端末装置３０とが、例えば、インターネット４０のようなネットワークを介して接続される構成になっている。
【００２７】
上記広告情報提供サーバ１０は、ユーザが街頭や駅等公共の場所に設置された広告を閲覧し、その広告の背面に設置されている非接触ＩＣカードから読み込んだサーバアドレスに従い携帯端末装置３０を用いてアクセスされると共に、そのアクセスキーを入力することにより、広告を閲覧している場所に対応して広告内容を変化させる場合の実施形態である。
【００２８】
なお、通常は１個の広告情報提供サーバ１０で複数種類の広告のための処理を行なうが、ここでは、アクセスキーに広告の種類が特定できる情報を含ませて表示し、広告情報提供サーバ１０はそのアクセスキーから広告の種類を特定して処理を進めるものとする。勿論、広告の種類毎にアクセスすべき広告情報提供サーバを変更し、１個の広告情報提供サーバで１種類の広告のみを扱う方法もある。図２に示す実施形態とも１個の広告情報提供サーバで複数種類の広告を扱うものとして説明する。
【００２９】
図２は、広告情報提供サーバ１０の内部構成を機能展開して示したブロック図である。図において、広告情報提供サーバ１０は、データベース（ＤＢ）を除く各ブロックともに、具体的にはＣＰＵならびにメモリを含む周辺ＬＳＩで構成され、ＣＰＵがメモリに記録されたオペレーティングシステム（ＯＳ）１６を含むプログラムを読み出し逐次実行することにより以下に示すブロックが持つ各機能を実現するものである。
【００３０】
広告情報提供サーバ１０は、位置情報管理部１１、位置情報ＤＢ１２、通信情報管理部１３、広告情報管理部１４、オペレーティングシステム（ＯＳ）１６、アクセス履歴ＤＢ１７、および広告情報ＤＢ１８で構成される。
【００３１】
位置情報管理部１１は、アクセスキーから位置情報ＤＢ１２を参照することにより広告の掲示場所を特定する機能を持つ。また、通信情報管理部１３は、携帯端末装置３０からのサーバアクセスを受付け、そのアクセスキーを取得する機能を持つ。広告情報管理部１４は、掲示場所を含む携帯端末装置３０のアクセス履歴をアクセス履歴ＤＢ１７に保存する他に、広告情報ＤＢ１８を参照することにより携帯端末装置３０に対し、広告の掲示場所に応じて提供する情報を変化させる機能を持つ。
【００３２】
位置情報ＤＢ１２のデータ構造の一例は図４に、広告情報ＤＢ１８のデータ構造の一例は、図５、図６に、アクセス履歴ＤＢ１７のデータ構造の一例は、図７にそれぞれ示されており、それらデータ構造については動作説明の欄で述べる。
【００３３】
広告表示ディスプレイ５０は、紙媒体に印刷された、もしくは電子的なディスプレイ（電子媒体）のいずれか（両方も可）からなる。広告表示ディスプレイ５０の背面には、図３に示すように、非接触型ＩＣカード５１が設置されている。非接触型ＩＣカード５１には、図示しない制御部や、記憶部５２などが搭載されている。
【００３４】
非接触型ＩＣカード５１の記憶部５２には、ネットワーク上にある広告情報提供サーバ１０のサーバアドレス（ＵＲＬ：例えば、ｈｔｔｐ：／／ｗｗｗ．○○○．ｃｏｍ／）と、その広告が掲示されている場所、もしくは車輌に固有の識別記号を含んだアクセスキーとが記憶されている。アクセスキーは、例えば「１２３４５６７８」とすると、上位４桁「１２３４」は広告の種類を示し、下位４桁「５６７８」は、広告表示ディスプレイ５０の場所もしくは車輌を示すものとする。
【００３５】
広告表示ディスプレイ５０の広告に興味のあるユーザが、携帯端末装置３０に接続されたＩＣカードリーダ３１を、広告表示ディスプレイ５０の背面に配置された非接触型ＩＣカード５１部分に近づけると、非接触型ＩＣカード５１の記憶部５２に記憶されている、サーバアドレスとアクセスキーとが携帯端末装置３０に読み込まれる。
【００３６】
次に、上述した第１実施形態の動作について説明する。ここで、図８は、本第１実施形態による広告情報提供サーバ１０の動作を説明するためのフローチャートである。まず、ユーザは、街頭、もしくは駅で、紙媒体もしくは、電子媒体による広告表示ディスプレイ５０を閲覧する。広告に興味のあるユーザが、携帯端末装置３０に接続されたＩＣカードリーダ／ライタ３１を、図３に示す広告表示ディスプレイ５０の背面に配置されているＩＣカード５１に近づけると、非接触型ＩＣカード５１の記憶部５２に記憶されている、サーバアドレスとアクセスキーとが携帯端末装置３０に読み込まれる。
【００３７】
ユーザが携帯端末装置３０を操作すると、携帯端末装置３０は、読み込まれたサーバアドレス（ｈｔｔｐ：／／ｗｗｗ．○○○．ｃｏｍ／）に従って、広告情報提供サーバ１０にアクセスし、広告情報のサービス要求を行なう。
【００３８】
これに対して、携帯端末装置３０からアクセスを受けた広告情報提供サーバ１０の通信情報管理部１３は、ユーザが持つ携帯端末装置３０に対して、アクセスキーを要求する。携帯端末装置３０では、上記読み込んだアクセスキー、ここでは「１２３４５６７８」を、広告情報提供サーバ１０の通信情報管理部１３に送信する。
【００３９】
広告情報提供サーバ１０の通信情報管理部１３は、送信されてきたアクセスキーを受信し（ステップＳ１０１）、そのアクセスキーから、広告掲載場所固有の識別記号「５６７８」と、広告内容毎に付された広告識別記号「１２３４」を抽出する（ステップＳ１０２）。そして、通信情報管理部１３は、場所固有の識別記号「５６７８」を位置情報管理部１１に渡し、また、広告識別記号「１２３４」を広告情報管理部１４に渡す。そして、アクセスキーから広告の種類を特定し（ステップＳ１０３）、また、広告の掲示場所を特定する（ステップＳ１０４）。
【００４０】
すなわち、位置情報管理部１１は、場所固有の識別記号を通信情報管理部１３から受け取り、この識別記号が街頭もしくは駅の場合は、図４にそのデータ構造が示される位置情報ＤＢ１２から対応する広告の掲示場所を検索し（「５６７８」から新橋駅）、その検索結果を広告情報管理部１４に渡す。また、広告情報管理部１４は、通信情報管理部１３から広告識別記号を受信して図５に示す広告情報ＤＢ１８を検索して広告の種類を検索する（「１２３４」から「ｈｔｔｐ：／／ｗｗｗ．△△△△．ｃｏｍ／」）。
【００４１】
次に、広告情報管理部１４は、通信情報管理部１３から先の広告識別記号を受信し、また、位置情報管理部１１から、広告の掲示場所の情報を受信して場所に応じて決められた適切な広告の検索を行なう（ステップＳ１０５）。すなわち、広告識別記号、および広告の掲示場所の情報を検索キーとして図６に示す広告情報ＤＢ１８から対応する広告を検索し（「１２３４」と「新橋駅」から「ｈｔｔｐ：／／ｗｗｗ．△△△△．ｃｏｍ／ｓｈｉｍｂａｓｈｉ／」）、通信情報管理部１３へ渡して要求のあったユーザの携帯端末装置３０へ広告情報を送信する（ステップＳ１０６）。同時に、アクセスのあった時刻、アクセスのあった場所、電話番号等のユーザ情報、ユーザに提供した広告ＩＤ他を、アクセス履歴ＤＢ１７に格納する（ステップＳ１０７）。アクセス履歴ＤＢ１７のデータ構造の一例は図７に示されている。
【００４２】
以上説明のように、広告情報管理部１４は、広告情報ＤＢ１８を検索するときに、広告識別記号と広告が掲示されている場所を検索キーとして使用することにより、ユーザが広告を閲覧している場所に応じて異なる内容の広告を提供することができる。なお、広告情報の送信（ステップＳ１０６）とアクセス履歴の保存（ステップＳ１０７）の両方を処理することは必須ではなく、いずれか一方のみ処理しても構わない。
【００４３】
Ｂ．第２実施形態
次に、本発明の第２実施形態について説明する。ここで、図９は、本第２実施形態による広告情報提供システムの構成を示すブロック図である。図において、本広告情報提供システムは、広告側のＩＣカードリーダ／ライタ制御機６０と、各広告表示ディスプレイ６１−１〜６１−４の背面に配置されたＩＣカードリーダ／ライタ６２−１〜６２−４と、広告情報表示端末８０と、ＤＢサーバ９０と、ログサーバ１００と、これらを接続するインターネットのようなネットワーク４０と、ユーザが持つ非接触型ＩＣカード７０とからなる。
【００４４】
ＩＣカードリーダ／ライタ制御機６０は、ＩＣカードリーダ／ライタ６２−１〜６２−４からそれぞれが対応する広告ＵＲＬまたは広告ＩＤを出力すべく制御する。ＩＣカードリーダ／ライタ６２−１〜６２−４は、図１０に示すように、広告表示ディスプレイ６１−１〜６１−４の背面に配置され、ユーザが非接触型ＩＣカード７０を近づけると、ＩＣカード７０の記憶部７１に広告ＵＲＬもしくは広告ＩＤを書き込む。
【００４５】
広告情報表示端末８０は、ＩＣカードリーダ／ライタ８１、制御部８２、表示部８３および印刷部８４からなる。ＩＣカードリーダ／ライタ８１は、記憶部７１に広告ＵＲＬもしくは広告ＩＤが書き込まれたＩＣカード７０がユーザによって近づけられると、該ＩＣカード７０の記憶部７１から広告ＵＲＬもしくは広告ＩＤを読み込む。
【００４６】
制御部８２は、広告ＵＲＬが読み込まれた場合には、該広告ＵＲＬで示されるＷＷＷサーバにネットワーク４０を介してアクセスし、広告情報を読み込んで表示部８３に表示すべく制御する。また、ユーザの操作により、表示内容を印刷部８４で印刷することも可能である。また、制御部８２は、広告ＩＤが読み込まれた場合には、ネットワーク４０を介して、ＤＢサーバ９０を検索し、広告ＩＤに対応するコンテンツを取得し、表示部８３に表示すべく制御する。また、ユーザの操作により、表示内容を印刷部８４で印刷することも可能である。
【００４７】
ＤＢサーバ９０は、図１１に示すように、広告ＩＤとコンテンツの所在を示すＵＲＬとを対応付けて記憶する。ログサーバ１００については後述する第３実施形態において説明する。
【００４８】
次に、上述した第２実施形態の動作について説明する。ここで、図１２は、ＩＣカードリーダ／ライタ制御機６０、ＩＣカードリーダ／ライタ６２−ｉ（ｉ＝１〜４）の動作を説明するためのフローチャートである。また、図１３は、ＩＣカード７０の動作を説明するためのフローチャートである。また、図１４は、広告情報表示端末８０の動作を説明するためのフローチャートである。
【００４９】
まず、広告表示ディスプレイ６１−ｉの背面にＩＣカードリーダ／ライタ６２−ｉを設置し、興味のあるユーザがＩＣカード７０を持っているとする。ＩＣカードリーダ／ライタ制御機６０、ＩＣカードリーダ／ライタ６２−ｉでは、ＩＣカード７０が近接したか否かを判断しており（ステップＳ２０１）、ＩＣカードが近接すると、広告ＵＲＬもしくは広告ＩＤを送信する（ステップＳ２０２）。以下、上記動作を繰り返す。
【００５０】
一方、ＩＣカード７０では、広告ＵＲＬもしくは広告ＩＤを受信したか否かを判断している（ステップＳ２０５）。ユーザが広告表示ディスプレイの内容に興味を持ち、ＩＣカードリーダ／ライタ６２−ｉにＩＣカード７０を近づけると、上述したように、該ＩＣカードリーダ／ライタ６２−ｉから広告ＵＲＬもしくは広告ＩＤが送信される。ゆえに、ＩＣカード７０では、ＩＣカードリーダ／ライタ６２−ｉからの広告ＵＲＬもしくは広告ＩＤを受信し、記憶部７１に書き込む（ステップＳ２０６）。例えば、広告ＵＲＬの場合なら、図１０に示す広告表示ディスプレイの詳細情報を見ることができる「ＵＲＬ：ｈｔｔｐ：／／ｗｗｗ．ａｂｃ．ｃｏｍ／」であるし、例えば、広告ＩＤならば、「４２４６」である。
【００５１】
ユーザは、その後、ＩＣカードリーダ／ライタ２１を備えた広告情報表示端末８０（例えば、街頭のホットスポット端末、もしくは家庭のＰＣにＩＣカードリーダ／ライタを装着したものなど）に行き、ＩＣカード７０をＩＣカードリーダ／ライタ８１に近づける。
【００５２】
広告情報表示端末８０では、ＩＣカードが検出されたか否かを判断している（ステップＳ２１０）。そして、ＩＣカード７０がＩＣカードリーダ／ライタ８１に近づけられると、ＩＣカードリーダ／ライタ８１は、ＩＣカード７０の記憶部７１から、記憶されている広告ＵＲＬもしくは広告ＩＤを読出す（ステップＳ２１１）。
【００５３】
そして、ＩＣカード７０から広告ＵＲＬが読み出されたか、広告ＩＤが読み出されたか判断する（ステップＳ２１２）。そして、広告ＵＲＬの場合なら、インターネット４０を介して、該当するＷｅｂページの広告情報を表示部８３に表示する（ステップＳ２１３）。一方、広告ＩＤの場合なら、インターネット４０を介して、ＤＢサーバ９０を検索し、対応するコンテンツを表示部８３に表示する（ステップＳ２１４）。いずれの場合においても、ユーザの操作により、表示内容を印刷部８４で印刷することが可能である（ステップＳ２１５、Ｓ２１６）。
【００５４】
これにより、ユーザは、キー操作をほとんど行なわずに、所望する広告に関連する関連情報を広告情報表示端末８０に表示させることが可能である。
【００５５】
Ｃ．第２実施形態の変形例（その１）
次に、本発明の第２実施形態の変形例（その１）について説明する。上述した第２実施形態において、その変形例（その１）として、図１５に示すように、１枚の広告表示ディスプレイ６１−ｉに複数のＩＣカードリーダ／ライタ６２−１，６２−２を配置するようにしてもよい。
【００５６】
ユーザがＩＣカード７０をＩＣカードリーダ／ライタ６２−１に近づけた場合には、クーポンを示す広告ＵＲＬもしくは広告ＩＤが記憶部７２に書き込まれる。ユーザが広告情報表示端末８０に行き、ＩＣカードリーダ／ライタ８１にＩＣカード７０を近づけた場合、その広告の店のクーポンが表示部８３に表示され、ユーザの要求に応じて印刷部８４でクーポンを印刷することができる。
【００５７】
また、ユーザがＩＣカード７０をＩＣカードリーダ／ライタ６２−２に近づけた場合には、カタログを示す広告ＵＲＬもしくは広告ＩＤが記憶部７２に書き込まれる。この場合、広告情報表示端末８０では、カタログ情報が表示部８３に表示され、ユーザの要求に応じて印刷部８４で印刷することができる。
【００５８】
上述した第２実施形態によれば、公共の場所、もしくは乗り物等車輛に設置される紙媒体に印刷された、あるいは電子媒体からなる広告表示ディスプレイの背面に非接触型のＩＣカードリーダ／ライタ６２−１〜６２−４を設置することで、広告情報表示端末８０でＩＣカード７０を持ったユーザが非常に簡便に広告に関連する関連情報を引き出すことができるようになる。
【００５９】
Ｄ．第２実施形態の変形例（その２）
また、上述した第２実施形態、または第２実施形態において、その変形例（その２）として、ユーザが何を閲覧したかの情報をログサーバ１００に送信するようにしてもよい。第２実施形態、あるいは第２実施形態の変形例（その１）において、ＩＣカード７０の記憶部７１に広告ＵＲＬや広告ＩＤなどを書き込む際に、広告固有のシリアル番号（広告およびその場所を特定可能な情報）と時刻とを一緒に書き込むことで、広告情報表示端末８０で読み出す場合に、そのシリアル番号をログサーバ１００に履歴として保存することで、広告主がいつ、どこの広告が閲覧されたのかを知ることができる。
【００６０】
上述した第３実施形態によれば、ＩＣカード７０に記憶させたアクセス時刻や広告の場所を特定できるシリアル番号を使うことで、アクセス履歴として保存することにより、顧客情報としで活用することも可能となる。
【００６１】
なお、上述した第１、第２実施形態では、広告表示ディスプレイは、街頭や駅などの公共の場所に掲載されたものとしたが、これに限らず、乗り物に掲載されたものであってもよい。
【００６２】
また、上述した第１実施形態における、広告情報提供サーバ１０を構成する位置情報管理部１１と、通信情報管理部１３と、広告情報管理部１４、あるいは第２実施形態における広告情報表示端末８０のそれぞれで実行される手順をコンピュータ読み取り可能な記録媒体に記録し、この記録媒体に記録されたプログラムをコンピュータシステムに読み込ませ、実行することにより上述した各装置における機能が実行されるものとする。ここでいうコンピュータシステムとは、ＯＳや周辺機器等のハードウアを含むものである。
【００６３】
また、「コンピュータシステム」は、ＷＷＷシステムを利用している場合であれば、ホームページ提供環境（あるいは表示環境）も含むものとする。
【００６４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００６５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６７】
以上、この発明の実施形態を、図面を参照して詳述してきたが、具体的な構成はこの実施形態に限られるものではなく、この発明の要旨を逸脱しない範囲の設計等も含まれる。
【００６８】
【発明の効果】
以上説明したように、本発明によれば、公共の場所に設置される紙媒体に印刷された、もしくは、電子的なディスプレイに表示された広告に関連する関連情報が掲示されている場所固有の識別情報を格納手段に格納しておき、非接触型情報取得手段を前記広告に近接させることにより、前記格納手段に格納されている前記識別情報を取得し、サーバにより、前記識別情報に基づいて、前記広告に関連する関連情報を、該関連情報を表示可能な前記端末装置に提供するようにしたので、公共の場所に設置される紙媒体や電子媒体に表示される広告に関連する関連情報を、非常に容易に引き出すことができるという利点が得られる。
【図面の簡単な説明】
【図１】本発明の第１実施形態による広告情報提供システムの構成を示すブロック図である。
【図２】広告情報提供サーバ１０の内部構成を機能展開して示したブロック図である。
【図３】広告表示ディスプレイ５０の背面への非接触型ＩＣカード５１の配置例を示す模式図である。
【図４】位置情報ＤＢ１２のデータ構造の一例を示す概念図である。
【図５】広告情報ＤＢ１８のデータ構造の一例を示す概念図である。
【図６】広告情報ＤＢ１８のデータ構造の一例を示す概念図である。
【図７】アクセス履歴ＤＢ１７のデータ構造の一例を示す概念図である。
【図８】本第１実施形態による広告情報提供サーバ１０の動作を説明するためのフローチャートである。
【図９】本発明の第２実施形態による広告情報提供システムの構成を示すブロック図である。
【図１０】本第２実施形態における、広告表示ディスプレイ５０の背面への非接触型ＩＣカードリーダ／ライタの配置例を示す模式図である。
【図１１】ＤＢサーバ９０のデータ構造の一例を示す概念図である。
【図１２】ＩＣカードリーダ／ライタ制御機６０、ＩＣカードリーダ／ライタ６２−ｉ（ｉ＝１〜４）の動作を説明するためのフローチャートである。
【図１３】ＩＣカード７０の動作を説明するためのフローチャートである。
【図１４】広告情報表示端末８０の動作を説明するためのフローチャートである。
【図１５】本第２実施形態の変形例（その１）における、広告表示ディスプレイ５０の背面への非接触型ＩＣカードリーダ／ライタの配置例を示す模式図である。
【符号の説明】
１０…広告情報提供サーバ、１１…位置情報管理部、１２…位置情報ＤＢ、１３…通信情報管理部、１４…広告情報管理部、１６…ＯＳ、１７…アクセス履歴ＤＢ、１８…広告情報ＤＢ、３０…携帯端末装置、３１…ＩＣカードリーダ／ライタ、４０…インターネット、５０…広告表示ディスプレイ、５１…ＩＣカード、５２…記憶部、６０…ＩＣカードリーダ／ライタ制御機、６１−１〜６１−４…広告表示ディスプレイ、６２−１〜６２−４…ＩＣカードリーダ／ライタ、７０…ＩＣカード、７１…記憶部、８０…広告情報表示端末、８１…ＩＣカードリーダ／ライタ、８２…制御部、８３…表示部、８４…印刷部、９０…ＤＢサーバ、１００…ログサーバ
【図１】
2004030134.tif 000003
【図２】
2004030134.tif 000004
【図３】
2004030134.tif 000005
【図４】
2004030134.tif 000006
【図５】
2004030134.tif 000007
【図６】
2004030134.tif 000008
【図７】
2004030134.tif 000009
【図８】
2004030134.tif 000010
【図９】
2004030134.tif 000011
【図１０】
2004030134.tif 000012
【図１１】
2004030134.tif 000013
【図１２】
2004030134.tif 000014
【図１３】
2004030134.tif 000015
【図１４】
2004030134.tif 000016
【図１５】
2004030134.tif 000017